(57)【要約】【課題】飲食店等において、客に提供する持帰り用飲食物を入れる容器を効率よく収納でき、必要に応じて簡単に取り出すことができる容器収納棚を提供する。【解決手段】容器収納棚１は、底板２と、底板２の上方に設けられ、複数の容器４１を横向きに重ねて形成された容器群４０ａ、４０ｂ、４０ｃを多段に収納する一対の側板３、４と、支持機構１０とを備えている。支持機構１０は、容器群４０ｂを支持するとともに、容器群４０ｂと底板２との間に容器群４０ａの収納スペース５を形成している。支持機構１０は、支点部１２を中心に回動可能な支持板１３と、支持板１３を水平位置に保持するスプリング１１とからなっている。支持板１３上方から一定以上の力を加えた際に、支持板１３がスプリング１１の力に抗して下方に回動して、支持板１３上に収納された容器群４０ｂを底板２上に落下させるようになっている。【選択図】図１
2007261733.tif 000002
【特許請求の範囲】
【請求項１】
底板と、
底板の上方に設けられ複数の容器を横向きに重ねて形成された容器群を多段に収納する一対の側板と、
少なくとも一方の側板の内側に設けられ、前記容器群を支持するとともに、支持された容器群と底板との間に底板上の容器群の収納スペースを形成する支持機構とを備え、
支持機構は、支点部を中心に回動可能な支持板と、支持板を水平位置に保持するスプリングとからなり、支持板上方から一定以上の力を加えた際に支持板がスプリングの力に抗して下方に回動して支持板上に収納された容器群を底板上に落下させることを特徴とする容器収納棚。
【請求項２】
支持機構は、一方の側板および他方の側板の内側に設けられていることを特徴とする請求項１に記載の容器収納棚。
【請求項３】
互いに隣接配置された２以上の単位容器収納棚を含む容器収納棚において、
各単位容器収納棚は、
底板と、
底板の上方に設けられ複数の容器を横向きに重ねて形成された容器群を多段に収納する一対の側板と、
少なくとも一方の側板の内側に設けられ、前記容器群を支持するとともに、支持された容器群と底板との間に底板上の容器群の収納スペースを形成する支持機構とを備え、
支持機構は、支点部を中心に回動可能な支持板と、支持板を水平位置に保持するスプリングとからなり、支持板上方から一定以上の力を加えた際に支持板がスプリングの力に抗して下方に回動して支持板上に収納された容器群を底板上に落下させることを特徴とする容器収納棚。
【請求項４】
少なくとも一つの単位容器収納棚に設けられた支持機構は、一方の側板および他方の側板の内側に設けられていることを特徴とする請求項３に記載の容器収納棚。
【請求項５】
一対の側板に直交する前面側であって、底板と支持機構との間の収納スペースに対応する部分に開口が形成されていることを特徴とする請求項１乃至４のいずれかに記載の容器収納棚。
【請求項６】
一対の側板に直交する前面側であって、支持機構上方に対応する部分に、透明窓を有する開閉扉を配置するとともに、この開閉扉は一方の側板に回動自在に保持されていることを特徴とする請求項１乃至５のいずれかに記載の容器収納棚。
【発明の詳細な説明】
【技術分野】
【０００１】
本発明は、例えば飲食店等において、客に提供する持帰り用飲食物を充填する容器を効率よく収納でき、必要に応じて簡単に取り出すことができる容器収納棚に関する。
【背景技術】
【０００２】
従来より、飲食店等において客に提供する持帰り用飲食物の容器は、ポリオレフィン系樹脂または合成樹脂発泡体からなるのが一般的であり、例えば弁当容器等に使用される包材等が知られている。また、このような容器として、例えば特許文献１に示す食品収納容器が開示されている。
【０００３】
このような容器には、飲食物の種類や量によって複数の種類が存在しており、図５に示すように、飲食店内においてそれぞれ同一種類の容器毎に複数個積み重ねて保管されている。以下、このようにして重ねて形成された複数の容器を容器群という。
【０００４】
具体的には、図５に示すように、容器群３０ａ、３０ｂ、３０ｃは、それぞれ同一種類の容器３１ａ、３１ｂ、３１ｃを複数個積み重ねて構成されたものである。この場合、容器３１ａ、容器３１ｂ、および容器３１ｃは、相互間で互いに大きさや形状が異なっている。これらの容器群３０ａ、３０ｂ、３０ｃは、縦または横に置かれた状態で飲食店内で保管される。
【０００５】
容器３１ａ、３１ｂ、３１ｃのうち、例えば容器３１ａ内に持帰り用飲食物を入れて客に提供する場合を考える。この場合、作業者は、容器群３０ａを構成する複数の容器３１ａのうち、最上段に配置されている容器３１ａを一つ取り出し、この取り出した容器３１ａの内部に飲食物を入れる作業を行なう。その後、容器３１ａに適宜蓋を被せて密閉し、客に販売する。
【特許文献１】特開２００４−６７１４０号公報
【発明の開示】
【発明が解決しようとする課題】
【０００６】
しかしながら、上述したように飲食店内で容器群３０ａを縦向きにして保管する場合、容器群３０ａが不安定であるため、容器群３０ａが転倒しやすい。一方、複数の容器群３０ａを横向きにして保管する場合、広い保管スペースが必要となる。
【０００７】
また、容器内に異物が混入すること等を防止するため、容器群３０ａをビニール袋内に入れて保管することがある。この場合は、飲食物を入れる作業の際、その都度ビニール袋内から容器３１ａを取り出す必要があり、このため容器３１ａを取り出して飲食物を入れる作業に時間がかかるため、効率良く作業が行えない。
【０００８】
さらに、容器３１ａ、３１ｂ、３１ｃの形状は互いに似ている場合が多く、作業者が誤って、本来取り出すべき容器と別の容器を取り出すおそれがある。
【０００９】
本発明はこのような点を考慮してなされたものであり、容器群を効率よく収納でき、かつ容器群から簡単に一つの容器を取り出すことができる容器収納棚を提供することを目的とする。
【課題を解決するための手段】
【００１０】
本発明は、底板と、底板の上方に設けられ複数の容器を横向きに重ねて形成された容器群を多段に収納する一対の側板と、少なくとも一方の側板の内側に設けられ、前記容器群を支持するとともに、支持された容器群と底板との間に底板上の容器群の収納スペースを形成する支持機構とを備え、支持機構は、支点部を中心に回動可能な支持板と、支持板を水平位置に保持するスプリングとからなり、支持板上方から一定以上の力を加えた際に支持板がスプリングの力に抗して下方に回動して支持板上に収納された容器群を底板上に落下させることを特徴とする容器収納棚である。
【００１１】
本発明は、支持機構は、一方の側板および他方の側板の内側に設けられていることを特徴とする容器収納棚である。
【００１２】
本発明は、互いに隣接配置された２以上の単位容器収納棚を含む容器収納棚において、各単位容器収納棚は、底板と、底板の上方に設けられ複数の容器を横向きに重ねて形成された容器群を多段に収納する一対の側板と、少なくとも一方の側板の内側に設けられ、前記容器群を支持するとともに、支持された容器群と底板との間に底板上の容器群の収納スペースを形成する支持機構とを備え、支持機構は、支点部を中心に回動可能な支持板と、支持板を水平位置に保持するスプリングとからなり、支持板上方から一定以上の力を加えた際に支持板がスプリングの力に抗して下方に回動して支持板上に収納された容器群を底板上に落下させることを特徴とする容器収納棚である。
【００１３】
本発明は、少なくとも一つの単位容器収納棚に設けられた支持機構は、一方の側板および他方の側板の内側に設けられていることを特徴とする容器収納棚である。
【００１４】
本発明は、一対の側板に直交する前面側であって、底板と支持機構との間の収納スペースに対応する部分に開口が形成されていることを特徴とする容器収納棚である。
【００１５】
本発明は、一対の側板に直交する前面側であって、支持機構上方に対応する部分に、透明窓を有する開閉扉を配置するとともに、この開閉扉は一方の側板に回動自在に保持されていることを特徴とする容器収納棚である。
【発明の効果】
【００１６】
本発明によれば、容器群の中から一つの容器を容易に取り出すことができ、容器に飲食物を入れる作業を効率良く行なうことができる。
【００１７】
また、本発明によれば、容器群の保管スペースを小さくし、多数の容器を効率よく保管することができる。
【００１８】
さらに、本発明によれば、種類の異なる容器がそれぞれ異なる収納スペースに収納されているため、取り出す必要がある容器を容易に識別でき、複数種類の下段に位置する容器群の中から一つの容器を取り出す際、誤った容器を取り出すおそれを減少させることができる。
【発明を実施するための最良の形態】
【００１９】
以下、本発明による容器収納棚の第１の実施の形態について、図１および図２を参照して説明する。ここで、図１は、本発明による容器収納棚の第１の実施の形態を示す正面図であり、図２は、本発明による容器収納棚の第１の実施の形態を示す側面図である。
【００２０】
まず、図１および図２により本発明の概略について述べる。
容器収納棚１は、底板２と、底板２の上方に設けられた一対の側板３、４と、一方の側板３の内側に設けられた支持機構１０とを備えている。このうち、一対の側板３、４は、複数の容器４１を横向きに重ねて形成された容器群４０ａ、４０ｂ、４０ｃを多段に収納するものである。また、支持機構１０は、中段に位置する容器群４０ｂを支持するとともに、支持された容器群４０ｂと底板２との間に底板２上の下段に位置する容器群４０ａの収納スペース５を形成している。また、支持機構１０は、支点部１２を中心に回動可能な支持板１３と、支持板１３を水平位置に保持するスプリング１１とからなり、支持板１３の上面側には、支持板１３を水平位置より上方に回動させないためのストッパー２０が設けられている。この支持板１３上方から一定以上の力を加えた際に、支持板１３がスプリング１１の力に抗して下方に回動して、支持板１３上に収納された容器群４０ｂを底板２上に落下させるようになっている。
【００２１】
このスプリング１１としては、図１に示すようなコイル状の引っ張りばねが用いられ、この引っ張りばねの一端が支持板１３上方に取り付けられ、他端が側板３に取り付けられている。しかしながら、スプリング１１は圧縮ばねであっても良く、この圧縮ばねの一端を支持板１３下方に取り付け、他端を側板３に取り付けても良い。また、スプリング１１は、上述したコイルばねのほか、ねじりばね、板ばね等であっても良い。
【００２２】
一方、図２に示すように、容器群４０ａ、４０ｂ、４０ｃは、それぞれ同一の容器４１を複数個横向きに重ねて構成したものである。また、一対の側板３、４に直交する前面（図２における右）側であって、底板２と支持機構１０との間の収納スペース５に対応する部分には、開口５ａが形成されている。したがって、容器収納棚１は、容器収納棚１の収納スペース５に載置された容器群４０ａのうち、最も前面（右）側にある容器４１を前面（右）方向から一つずつ取り出せる構造となっている。
【００２３】
さらに、必要に応じて、一対の側板３、４に直交する前面側であって、支持機構１０上方に対応する部分に、透明窓７を有する開閉扉６を配置してもよい。この開閉扉６は、一方の側板３または４に回動自在に保持されていることが好ましい。
【００２４】
次に、このような構成からなる本実施の形態の作用について述べる。
図１に示すように、支持機構１０の支持板１３は、中段に位置する容器群４０ｂを支持しており、また上段に位置する容器群４０ｃは、容器群４０ｂの上に載置されている。これら容器群４０ｂ、４０ｃの重量は十分に軽いため、容器群４０ｂ、４０ｃによるスプリング１１の伸びはほとんどなく、支持板１３はスプリング１１およびストッパー２０によりほぼ水平位置に保持されている。また、底板２上の収納スペース５内には下段に位置する容器群４０ａが配置されている。
【００２５】
次に、収納スペース５に配置された容器群４０ａに含まれる容器４１を、容器収納棚１に設けられた開口５ａから一つずつ取り出し、この取り出した容器４１内に飲食物を入れる作業を行なう。このようにして、容器群４０ａを構成する容器４１が全て使い果たされると収納スペース５は空になる。
【００２６】
この場合において、容器群４０ｂまたは容器群４０ｃに対して上方から一定の力を加えると、支持板１３がスプリング１１の力に抗して下方に回動する。これにより、支持板１３上に収納された容器群４０ｂは底板２上の収納スペース５内に落下する。一方、容器群４０ｂが底板２上に落下すると、支持板１３はスプリング１１に付勢されて上方に回動され、ストッパー２０に当接し、再び水平位置に戻される。このため、容器群４０ｃは収納スペース５内に落下することなく支持機構１０の支持板１３上で保持される。
【００２７】
このように、本実施の形態によれば、底板２上の収納スペース５内に配置された下段の容器群４０ａの中から一つの容器４１を容易に取り出すことができ、容器４１に飲食物を入れる作業を効率良く行なうことができる。
【００２８】
また、本実施の形態によれば、容器群４０ａ、４０ｂ、４０ｃの保管スペースを小さくし、多数の容器４１を効率良く保管することができる。
【００２９】
第２の実施の形態
次に、本発明による容器収納棚の第２の実施の形態について図３を参照して説明する。
ここで、図３は、本発明の第２の実施の形態を示す正面図である。図３に示す第２の実施の形態は、支持機構が一方の側板および他方の側板の内側に設けられている点が異なるものであり、他の構成は上述した第１の実施の形態と同一である。図３において、図１および図２に示す第１の実施の形態と同一部分には同一の部号を付して詳細な説明は省略する。
【００３０】
まず、図３により本発明による容器収納棚の概略について説明する。
図３に示すように、容器収納棚１は、底板２と、底板２の上方に設けられた一対の側板３、４と、側板３、４の内側にそれぞれ設けられた支持機構１０ａ、１０ｂとを備えている。このうち、一対の側板３、４は、複数の容器４１を横向きに重ねて形成された容器群４０ａ、４０ｂ、４０ｃを多段に収納するものである。また、支持機構１０ａ、１０ｂは、中段に位置する容器群４０ｂを支持するとともに、支持された容器群４０ｂと底板２との間に底板２上の下段に位置する容器群４０ａの収納スペース５を形成している。また、支持機構１０ａ、１０ｂは、各支点部１２ａ、１２ｂを中心に回動可能な支持板１３ａ、１３ｂと、各支持板１３ａ、１３ｂを水平位置に保持するスプリング１１ａ、１１ｂとからなり、各支持板１３ａ、１３ｂの上面側には、支持板１３ａ、１３ｂを水平位置より上方に回動させないためのストッパー２０ａ、２０ｂが設けられている。この支持板１３ａ、１３ｂ上方から一定以上の力を加えた際に、支持板１３ａ、１３ｂがそれぞれスプリング１１ａ、１１ｂの力に抗して下方に回動して、支持板１３ａ、１３ｂ上に収納された容器群４０ｂを底板２上に落下させるようになっている。
【００３１】
次に、このような構成からなる本実施の形態の作用について述べる。
図３に示すように、支持機構１０ａの支持板１３ａおよび支持機構１０ｂの支持板１３ｂは、中段に位置する容器群４０ｂを支持しており、また上段に位置する容器群４０ｃは、容器群４０ｂの上に載置されている。これら容器群４０ｂ、４０ｃの重量は十分に軽いため、スプリング１１ａ、１１ｂの伸びはほとんどなく、支持板１３ａ、１３ｂはスプリング１１およびストッパー２０ａ、２０ｂによりほぼ水平位置に保持されたままである。また、底板２上の収納スペース５内には下段に位置する容器群４０ａが配置されている。
【００３２】
次に、収納スペース５に配置された容器群４０ａに含まれる容器４１を、容器収納棚１に設けられた開口５ａから一つずつ取り出し、この取り出した容器４１内に飲食物を入れる作業を行なう。このようにして、容器群４０ａを構成する容器４１が全て使い果たされると収納スペース５は空になる。
【００３３】
つづいて、容器群４０ｂまたは容器群４０ｃに対して上方から一定の力を加えると、支持板１３ａ、１３ｂがそれぞれスプリング１１ａ、１１ｂの力に抗して下方に回動し、これにより、支持板１３ａ、１３ｂ上に収納された容器群４０ｂは底板２上の収納スペース５内に落下する。一方、容器群４０ｂが底板２上に落下すると、支持板１３ａ、１３ｂはそれぞれスプリング１１ａ、１１ｂに付勢されて上方に回動され、ストッパー２０ａ、２０ｂにそれぞれ当接し、再び水平位置に戻される。このため、容器群４０ｃは収納スペース５内に落下することなく支持板１３ａ、１３ｂ上で保持される。
【００３４】
このように、本実施の形態によれば、底板２上の収納スペース５内に配置された下段の容器群４０ａの中から一つの容器４１を容易に取り出すことができ、容器４１に飲食物を入れる作業を効率良く行なうことができる。
【００３５】
また、本実施の形態によれば、容器群４０ａ、４０ｂ、４０ｃの保管スペースを小さくし、多数の容器４１を効率良く保管することができる。
【００３６】
第３の実施の形態
次に、図４により本発明による容器収納棚の第３の実施の形態について説明する。
ここで、図４は、本発明の第３の実施の形態を示す斜視図である。図４に示す第３の実施の形態は、容器収納棚が互いに隣接配置された２以上の単位容器収納棚を含んでいる点が異なるものであり、他の構成は上述した第１の実施の形態および第２の実施の形態と略同一である。
図４において、図１および図２に示す第１の実施の形態および図３に示す第２の実施の形態と同一部分には同一の部号を付して詳細な説明は省略する。
【００３７】
図４に示すように、容器収納棚１は、互いに隣接配置された２以上の単位容器収納棚１ａ、１ｂ、１ｃ、１ｄを含んでいる。
これら各単位容器収納棚１ａ、１ｂ、１ｃ、１ｄは、それぞれ底板２と、底板２の上方に設けられた一対の側板３、４と、少なくとも一方の側板３または４の内側に設けられた支持機構１０とを備えている。このうち、一対の側板３、４は複数の容器４１を横向きに重ねて形成された容器群４０ａ、４０ｂ、４０ｃを多段に収納するものである。また、支持機構１０は、中段に位置する容器群４０ｂを支持するとともに、支持された容器群４０ｂと底板２との間に底板２上の下段に位置する容器群４０ａの収納スペース５を形成している。さらに、支持機構１０は、支点部１２を中心に回動可能な支持板１３と、支持板１３を水平位置に保持するスプリング１１とからなり、支持板１３の上面側には、支持板１３を水平位置より上方に回動させないためのストッパー２０が設けられている。この支持板１３上方から一定以上の力を加えた際に、支持板１３がスプリング１１の力に抗して下方に回動して、支持板１３上に収納された容器群４０ｂを底板２上に落下させるようになっている。
【００３８】
また、各単位容器収納棚１ａ、１ｂ、１ｃ、１ｄに設けられた一対の側板３、４に直交する前面側であって、底板２と支持機構１０との間の収納スペース５に対応する部分に開口５ａが形成されている。
【００３９】
さらに、一対の側板３、４に直交する前面側であって、支持機構１０上方に対応する部分に、それぞれ透明窓７を有する開閉扉６が配置されている。この開閉扉６は、各々が側板３に回動自在に保持されている。
【００４０】
単位容器収納棚１ａ、１ｂ、１ｃ、１ｄの各収納スペース５には、それぞれ下段に位置する容器群４０ａが収納されている。これらの容器群４０ａ、４０ｂ、４０ｃを構成する容器４１は、単位容器収納棚１ａ、１ｂ、１ｃ、１ｄ毎にそれぞれの形状や大きさが異なっていても良い。
この場合、各開口５ａの高さｈ１、ｈ２、ｈ３、ｈ４および各開口５ａの幅ｗ１、ｗ２、ｗ３、ｗ４は、単位容器収納棚１ａ、１ｂ、１ｃ、１ｄの収納スペース５に収納される各容器４１の形状や大きさに合わせて、各々異なる高さおよび幅とするのが好ましい。
【００４１】
このように、本実施の形態によれば、種類の異なる容器４１がそれぞれ異なる収納スペース５に収納されているため、取り出す必要がある容器４１を容易に識別でき、複数種類の下段に位置する容器群４０ａの中から一つの容器４１を取り出す際、誤った容器を取り出すおそれを減少させることができる。
【図面の簡単な説明】
【００４２】
【図１】本発明による単位容器収納棚の第１の実施の形態を示す正面図。
【図２】本発明による単位容器収納棚の第１の実施の形態を示す側面図。
【図３】本発明による単位容器収納棚の第２の実施の形態を示す正面図。
【図４】本発明による単位容器収納棚の第３の実施の形態を示す斜視図。
【図５】従来の容器群の保管方法を示す正面図。
【符号の説明】
【００４３】
１      容器収納棚
１ａ、１ｂ、１ｃ、１ｄ  単位容器収納棚
２      底板
３      側板
４      側板
５      収納スペース
５ａ    開口
６      開閉扉
７      透明窓
１０、１０ａ、１０ｂ    支持機構
１１、１１ａ、１１ｂ    スプリング
１２、１２ａ、１２ｂ    支点部
１３、１３ａ、１３ｂ    支持板
２０、２０ａ、２０ｂ    ストッパー
３０ａ、３０ｂ、３０ｃ  容器群
３１ａ、３１ｂ、３１ｃ  容器
４０ａ、４０ｂ、４０ｃ  容器群
４１ａ、４１ｂ、４１ｃ  容器
【図１】
2007261733.tif 000003
【図２】
2007261733.tif 000004
【図３】
2007261733.tif 000005
【図４】
2007261733.tif 000006
【図５】
2007261733.tif 000007